【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
超音波ホーンと併用するための送液筒であって、
内部表面と、近位端と、遠位端とを備え、かつ、第１の送液筒延在部と、第２の送液筒延在部とを備え、前記第２の送液筒延在部は、前記第１の送液筒延在部から遠位に延在し、前記第２の送液筒延在部は、前記第１の送液筒延在部の内径より小さい内径を有し、前記第２の送液筒延在部の内部表面は、弧状領域と、ブリッジを形成する複数の突出部とを備える、
送液筒。
【請求項２】
前記第２の送液筒延在部のブリッジは、前記第２の送液筒延在部の内部表面の弧状領域とホーン延在部の外部表面との間の接触を限定するように配列され、前記第１の送液筒延在部の内部表面は、弧状領域と、前記第１の送液筒延在部の内部表面の弧状領域との接触を限定するブリッジを形成する複数の突出部とを備え、前記第２の送液筒延在部は、前記第１の送液筒延在部より高い密度の前記複数の突出部を有する、請求項１に記載の送液筒。
【請求項３】
前記第１の送液筒延在部の内部表面は、弧状領域と、前記第１の送液筒延在部の内部表面の弧状領域との接触を限定するブリッジを形成する複数の突出部とを備え、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、請求項１に記載の送液筒。
【請求項４】
前記第１の送液筒延在部の内部表面は、弧状領域と、前記第１の送液筒延在部の内部表面の弧状領域との接触を限定するブリッジを形成する複数の突出部とを備え、前記第１の送液筒延在部上の複数の突出部は、前記第２の送液筒延在部上の複数の突出部より大きい、請求項１に記載の送液筒。
【請求項５】
超音波ホーンとの組み合わせにおいて、前記超音波ホーンは、外部表面を含み、かつ、第１のホーン延在部と、前記第１のホーン延在部から遠位に延在する第２のホーン延在部とを備え、前記第２のホーン延在部は、前記第１のホーン延在部の外径より小さい外径を有し、前記第１および第２の送液筒延在部は、それぞれ、少なくとも部分的に、前記第１および第２のホーン延在部を封入するように構成され、前記ブリッジは、前記第２の送液筒延在部の内部表面の弧状領域と前記第２のホーン延在部の外部表面との間の接触を限定する、請求項１−４のいずれか１項に記載の送液筒。
【請求項６】
前記複数の突出部は、１つの突出部が略正方形または長方形様式で配列される全４つの隣接する突出部の中心に心合されるように、交互された行および列に分散される、請求項１−５のいずれか１項に記載の送液筒。
【請求項７】
前記複数の突出部は、前記ブリッジを縦方向および軸方向の両方に形成する、請求項１−６のいずれか１項に記載の送液筒。
【請求項８】
前記複数の突出部は、球状突出部である、請求項１−７のいずれか１項に記載の送液筒。
【請求項９】
前記第２の送液筒延在部の内部表面の少なくとも一部は、平方センチメートルあたり前記複数の突出部のうちの少なくとも３つの突出部を有する、請求項１−８のいずれか１項に記載の送液筒。
【請求項１０】
超音波ホーンと併用するための送液筒であって、
内部表面を備え、前記内部表面は、弧状領域と、複数の突出部とを含み、前記複数の突出部は、前記超音波ホーンの節上またはそれを中心とする場所に対応する場所に分散され、前記複数の突出部は、１つまたはそれを上回るブリッジを形成する、
送液筒。
【請求項１１】
外部表面を有する超音波ホーンとの組み合わせにおいて、前記送液筒は、前記超音波ホーンの外部表面を中心として配置されるように構成され、前記複数の突出部は、前記送液筒の内部表面の弧状領域と前記超音波ホーンの外部表面との間の接触を限定する１つまたはそれを上回るブリッジを形成する、請求項１０に記載の送液筒。
【請求項１２】
前記内部表面の複数の突出部は、前記超音波ホーンの腹上またはその近傍の場所に対応する場所にある、請求項１０−１１のいずれか１項に記載の送液筒。
【請求項１３】
前記内部表面の複数の突出部は、高歪み勾配および運動の場所に対応する場所にある、請求項１０−１２のいずれか１項に記載の送液筒。
【請求項１４】
前記内部表面の複数の突出部は、前記超音波ホーンの節上またはその近傍、腹上またはその近傍、および節と腹との間の場所に対応する場所にある、請求項１０−１３のいずれか１項に記載の送液筒。
【請求項１５】
前記複数の突出部は、１つの突出部が略正方形または長方形様式で配列される全４つの隣接する突出部の中心に心合されるように、交互された行および列に分散される、請求項１０−１４のいずれか１項に記載の送液筒。
【請求項１６】
前記複数の突出部は、１つまたはそれを上回るブリッジを縦方向および軸方向の両方に形成する、請求項１０−１５のいずれか１項に記載の送液筒。
【請求項１７】
前記複数の突出部は、球状突出部である、請求項１０−１６のいずれか１項に記載の送液筒。
【請求項１８】
前記送液筒は、第１の送液筒延在部と、前記第１の送液筒延在部から遠位に延在する第２の送液筒延在部とを含み、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、請求項１０−１７のいずれか１項に記載の送液筒。
【請求項１９】
超音波外科手術用装置であって、
外部表面を有し、第１のホーン延在部と、第２のホーン延在部とを備える、超音波ホーンであって、前記第２のホーン延在部は、前記第１のホーン延在部から遠位に延在し、前記第２のホーン延在部は、前記第１のホーン延在部の外径より小さい外径を有する、超音波ホーンと、
内部表面と、近位端と、遠位端とを有し、かつ、第１の送液筒延在部と、第２の送液筒延在部とを備える、送液筒であって、前記第２の送液筒延在部は、前記第１の送液筒延在部から遠位に延在し、前記第２の送液筒延在部は、前記第１の送液筒延在部の内径より小さい内径を有し、前記第１および第２の送液筒延在部は、それぞれ、少なくとも部分的に、前記第１および第２のホーン延在部を封入するように構成され、前記第２の送液筒延在部の内部表面は、弧状領域と、前記第２の送液筒延在部の内部表面の弧状領域と前記第２のホーン延在部の外部表面との間の接触を限定するブリッジを形成する複数の突出部とを備える、送液筒と
を備える、超音波外科手術用装置。
【請求項２０】
前記複数の突出部は、１つの突出部が略正方形または長方形様式で配列される全４つの隣接する突出部の中心に心合されるように、交互された行および列に分散される、請求項１９に記載の超音波外科手術用装置。
【請求項２１】
前記複数の突出部は、前記ブリッジを縦方向および軸方向の両方に形成する、請求項１９−２０のいずれか１項に記載の超音波外科手術用装置。
【請求項２２】
前記複数の突出部は、球状突出部である、請求項１９−２１のいずれか１項に記載の超音波外科手術用装置。
【請求項２３】
前記第１の送液筒延在部の内部表面は、弧状領域と、前記第１の送液筒延在部の内部表面の弧状領域と前記第１のホーン延在部の外部表面との間の接触を限定するブリッジを形成する複数の突出部とを備え、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、請求項１９−２２のいずれか１項に記載の超音波外科手術用装置。
【請求項２４】
前記第１の送液筒延在部の内部表面は、弧状領域と、前記第１の送液筒延在部の内部表面の弧状領域と前記第１のホーン延在部の外部表面との間の接触を限定するブリッジを形成する複数の突出部とを備え、前記第１の送液筒延在部上の複数の突出部は、前記第２の送液筒延在部上の複数の突出部より大きい、請求項１９−２２のいずれか１項に記載の超音波外科手術用装置。
【請求項２５】
前記第２の送液筒延在部の内部表面の少なくとも一部は、平方センチメートルあたり前記複数の突出部のうちの少なくとも３つの突出部を有する、請求項１９−２４のいずれか１項に記載の超音波外科手術用装置。
【請求項２６】
前記第１の送液筒延在部の内部表面は、弧状領域と、前記第１の送液筒延在部の内部表面の弧状領域と前記第１のホーン延在部の外部表面との間の接触を限定するブリッジを形成する複数の突出部とを備え、前記第２の送液筒延在部は、前記第１の送液筒延在部より高い密度の前記複数の突出部を有する、請求項１９−２２および２５のいずれか１項に記載の超音波外科手術用装置。
【請求項２７】
超音波外科手術用装置であって、
外部表面を有する超音波ホーンと、
内部表面を有する送液筒であって、前記送液筒は、前記超音波ホーンの外部表面を中心として配置されるように構成され、前記内部表面は、弧状領域と、複数の突出部とを含み、前記複数の突出部は、前記超音波ホーンの節上またはその近傍の場所に対応する場所に分散され、前記複数の突出部は、前記送液筒の内部表面の弧状領域と前記超音波ホーンの外部表面との間の接触を限定するブリッジを形成する、送液筒と
を備える、超音波外科手術用装置。
【請求項２８】
前記送液筒の内部表面はさらに、前記超音波ホーンの腹上またはそれを中心とする場所に対応する場所にある、前記複数の突出部を備える、請求項２７に記載の超音波外科手術用装置。
【請求項２９】
前記送液筒の内部表面はさらに、高歪み勾配および運動の場所に対応する場所にある、前記複数の突出部を備える、請求項２７−２８のいずれか１項に記載の超音波外科手術用装置。
【請求項３０】
前記送液筒の内部表面は、前記超音波ホーンの節上またはその近傍、腹上またはその近傍、および節と腹との間の場所に対応する場所にある、前記複数の突出部を備える、請求項２７−２９のいずれか１項に記載の超音波外科手術用装置。
【請求項３１】
前記複数の突出部は、１つの突出部が略正方形または長方形様式で配列される全４つの隣接する突出部の中心に心合されるように、交互された行および列に分散される、請求項２７−３０のいずれか１項に記載の超音波外科手術用装置。
【請求項３２】
前記複数の突出部は、前記ブリッジを縦方向および軸方向の両方に形成する、請求項２７−３１のいずれか１項に記載の超音波外科手術用装置。
【請求項３３】
前記複数の突出部は、球状突出部である、請求項２７−３２のいずれか１項に記載の超音波外科手術用装置。
【請求項３４】
前記送液筒は、第１の送液筒延在部と、前記第１の送液筒延在部から遠位に延在する、第２の送液筒延在部とを含み、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、請求項２７−３３のいずれか１項に記載の超音波外科手術用装置。
【請求項３５】
超音波ホーンと併用するための送液筒であって、
近位端と対向遠位端との間に延在する内部表面と、
第１の送液筒延在部および第２の送液筒延在部であって、前記第２の送液筒延在部は、前記第１の送液筒延在部から遠位に延在する、第１の送液筒延在部および第２の送液筒延在部と
を備え、
前記第１の送液筒延在部および前記第２の送液筒延在部のそれぞれ１つの内部表面は、第１の内径を画定する弧状領域と、前記弧状領域から内向きに突出し、第２の内径を画定する、複数の突出部とを含み、前記第２の内径は、前記第１の内径より小さい、
送液筒。
【請求項３６】
前記第１の送液筒延在部の第１の内径は、前記第２の送液筒延在部の第１の内径より大きい、請求項３５に記載の送液筒。
【請求項３７】
前記複数の突出部は、前記第１の送液筒延在部および前記第２の送液筒延在部のそれぞれ１つ内に複数の列および複数の行を画定する、請求項３５−３６のいずれか１項に記載の送液筒。
【請求項３８】
前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、請求項３５−３７のいずれか１項に記載の送液筒。
【請求項３９】
前記第２の送液筒延在部は、前記第１の送液筒延在部より高い密度の前記複数の突出部を有する、請求項３５−３８のいずれか１項に記載の送液筒。
【手続補正２】
【補正対象書類名】明細書
【補正対象項目名】００２９
【補正方法】変更
【補正の内容】
【００２９】
本発明の実施形態の他の特徴および利点は、付随の例示的図面と関連して検討されるとき、以下の発明を実施するための形態からより明白となるであろう。
本発明は、例えば、以下を提供する。
（項目１）
超音波ホーンと併用するための送液筒であって、
内部表面と、近位端と、遠位端とを備え、かつ、第１の送液筒延在部と、第２の送液筒延在部とを備え、前記第２の送液筒延在部は、前記第１の送液筒延在部から遠位に延在し、前記第２の送液筒延在部は、前記第１の送液筒延在部の内径より小さい内径を有し、前記第２の送液筒延在部の内部表面は、弧状領域と、ブリッジを形成する複数の突出部とを備える、
送液筒。
（項目２）
超音波ホーンとの組み合わせにおいて、前記超音波ホーンは、外部表面を含み、かつ、第１のホーン延在部と、前記第１のホーン延在部から遠位に延在する第２のホーン延在部とを備え、前記第２のホーン延在部は、前記第１のホーン延在部の外径より小さい外径を有し、前記第１および第２の送液筒延在部は、それぞれ、少なくとも部分的に、前記第１および第２のホーン延在部を封入するように構成され、前記ブリッジは、前記第２の送液筒延在部の内部表面の弧状領域と前記第２のホーン延在部の外部表面との間の接触を限定する、項目１に記載の送液筒。
（項目３）
前記複数の突出部は、１つの突出部が略正方形または長方形様式で配列される全４つの隣接する突出部の中心に心合されるように、交互された行および列に分散される、項目１−２のいずれか１項に記載の送液筒。
（項目４）
前記複数の突出部は、前記ブリッジを縦方向および軸方向の両方に形成する、項目１−３のいずれか１項に記載の送液筒。
（項目５）
前記複数の突出部は、球状突出部である、項目１−４のいずれか１項に記載の送液筒。
（項目６）
前記第１の送液筒延在部の内部表面は、弧状領域と、前記第１の送液筒延在部の内部表面の弧状領域との接触を限定するブリッジを形成する複数の突出部とを備え、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、項目１−５のいずれか１項に記載の送液筒。
（項目７）
前記第１の送液筒延在部の内部表面は、弧状領域と、前記第１の送液筒延在部の内部表面の弧状領域との接触を限定するブリッジを形成する複数の突出部とを備え、前記第１の送液筒延在部上の複数の突出部は、前記第２の送液筒延在部上の複数の突出部より大きい、項目１−５のいずれか１項に記載の送液筒。
（項目８）
前記第２の送液筒延在部の内部表面の少なくとも一部は、平方センチメートルあたり前記複数の突出部のうちの少なくとも３つの突出部を有する、項目１−７のいずれか１項に記載の送液筒。
（項目９）
前記第１の送液筒延在部の内部表面は、弧状領域と、前記第１の送液筒延在部の内部表面の弧状領域との接触を限定するブリッジを形成する複数の突出部とを備え、前記第２の送液筒延在部は、前記第１の送液筒延在部より高い密度の前記複数の突出部を有する、項目１−５および８のいずれか１項に記載の送液筒。
（項目１０）
超音波ホーンと併用するための送液筒であって、
内部表面を備え、前記内部表面は、弧状領域と、複数の突出部とを含み、前記複数の突出部は、前記超音波ホーンの節上またはそれを中心とする場所に対応する場所に分散され、前記複数の突出部は、１つまたはそれを上回るブリッジを形成する、
送液筒。
（項目１１）
外部表面を有する超音波ホーンとの組み合わせにおいて、前記送液筒は、前記超音波ホーンの外部表面を中心として配置されるように構成され、前記複数の突出部は、前記送液筒の内部表面の弧状領域と前記超音波ホーンの外部表面との間の接触を限定する１つまたはそれを上回るブリッジを形成する、項目１０に記載の送液筒。
（項目１２）
前記内部表面の複数の突出部は、前記超音波ホーンの腹上またはその近傍の場所に対応する場所にある、項目１０−１１のいずれか１項に記載の送液筒。
（項目１３）
前記内部表面の複数の突出部は、高歪み勾配および運動の場所に対応する場所にある、項目１０−１２のいずれか１項に記載の送液筒。
（項目１４）
前記内部表面の複数の突出部は、前記超音波ホーンの節上またはその近傍、腹上またはその近傍、および節と腹との間の場所に対応する場所にある、項目１０−１３のいずれか１項に記載の送液筒。
（項目１５）
前記複数の突出部は、１つの突出部が略正方形または長方形様式で配列される全４つの隣接する突出部の中心に心合されるように、交互された行および列に分散される、項目１０−１４のいずれか１項に記載の送液筒。
（項目１６）
前記複数の突出部は、１つまたはそれを上回るブリッジを縦方向および軸方向の両方に形成する、項目１０−１５のいずれか１項に記載の送液筒。
（項目１７）
前記複数の突出部は、球状突出部である、項目１０−１６のいずれか１項に記載の送液筒。
（項目１８）
前記送液筒は、第１の送液筒延在部と、前記第１の送液筒延在部から遠位に延在する第２の送液筒延在部とを含み、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、項目１０−１７のいずれか１項に記載の送液筒。
（項目１９）
超音波外科手術用装置であって、
外部表面を有し、第１のホーン延在部と、第２のホーン延在部とを備える、超音波ホーンであって、前記第２のホーン延在部は、前記第１のホーン延在部から遠位に延在し、前記第２のホーン延在部は、前記第１のホーン延在部の外径より小さい外径を有する、超音波ホーンと、
内部表面と、近位端と、遠位端とを有し、かつ、第１の送液筒延在部と、第２の送液筒延在部とを備える、送液筒であって、前記第２の送液筒延在部は、前記第１の送液筒延在部から遠位に延在し、前記第２の送液筒延在部は、前記第１の送液筒延在部の内径より小さい内径を有し、前記第１および第２の送液筒延在部は、それぞれ、少なくとも部分的に、前記第１および第２のホーン延在部を封入するように構成され、前記第２の送液筒延在部の内部表面は、弧状領域と、前記第２の送液筒延在部の内部表面の弧状領域と前記第２のホーン延在部の外部表面との間の接触を限定するブリッジを形成する複数の突出部とを備える、送液筒と
を備える、超音波外科手術用装置。
（項目２０）
前記複数の突出部は、１つの突出部が略正方形または長方形様式で配列される全４つの隣接する突出部の中心に心合されるように、交互された行および列に分散される、項目１９に記載の超音波外科手術用装置。
（項目２１）
前記複数の突出部は、前記ブリッジを縦方向および軸方向の両方に形成する、項目１９−２０のいずれか１項に記載の超音波外科手術用装置。
（項目２２）
前記複数の突出部は、球状突出部である、項目１９−２１のいずれか１項に記載の超音波外科手術用装置。
（項目２３）
前記第１の送液筒延在部の内部表面は、弧状領域と、前記第１の送液筒延在部の内部表面の弧状領域と前記第１のホーン延在部の外部表面との間の接触を限定するブリッジを形成する複数の突出部とを備え、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、項目１９−２２のいずれか１項に記載の超音波外科手術用装置。
（項目２４）
前記第１の送液筒延在部の内部表面は、弧状領域と、前記第１の送液筒延在部の内部表面の弧状領域と前記第１のホーン延在部の外部表面との間の接触を限定するブリッジを形成する複数の突出部とを備え、前記第１の送液筒延在部上の複数の突出部は、前記第２の送液筒延在部上の複数の突出部より大きい、項目１９−２２のいずれか１項に記載の超音波外科手術用装置。
（項目２５）
前記第２の送液筒延在部の内部表面の少なくとも一部は、平方センチメートルあたり前記複数の突出部のうちの少なくとも３つの突出部を有する、項目１９−２４のいずれか１項に記載の超音波外科手術用装置。
（項目２６）
前記第１の送液筒延在部の内部表面は、弧状領域と、前記第１の送液筒延在部の内部表面の弧状領域と前記第１のホーン延在部の外部表面との間の接触を限定するブリッジを形成する複数の突出部とを備え、前記第２の送液筒延在部は、前記第１の送液筒延在部より高い密度の前記複数の突出部を有する、項目１９−２２および２５のいずれか１項に記載の超音波外科手術用装置。
（項目２７）
超音波外科手術用装置であって、
外部表面を有する超音波ホーンと、
内部表面を有する送液筒であって、前記送液筒は、前記超音波ホーンの外部表面を中心として配置されるように構成され、前記内部表面は、弧状領域と、複数の突出部とを含み、前記複数の突出部は、前記超音波ホーンの節上またはその近傍の場所に対応する場所に分散され、前記複数の突出部は、前記送液筒の内部表面の弧状領域と前記超音波ホーンの外部表面との間の接触を限定するブリッジを形成する、送液筒と
を備える、超音波外科手術用装置。
（項目２８）
前記送液筒の内部表面はさらに、前記超音波ホーンの腹上またはそれを中心とする場所に対応する場所にある、前記複数の突出部を備える、項目２７に記載の超音波外科手術用装置。
（項目２９）
前記送液筒の内部表面はさらに、高歪み勾配および運動の場所に対応する場所にある、前記複数の突出部を備える、項目２７−２８のいずれか１項に記載の超音波外科手術用装置。
（項目３０）
前記送液筒の内部表面は、前記超音波ホーンの節上またはその近傍、腹上またはその近傍、および節と腹との間の場所に対応する場所にある、前記複数の突出部を備える、項目２７−２９のいずれか１項に記載の超音波外科手術用装置。
（項目３１）
前記複数の突出部は、１つの突出部が略正方形または長方形様式で配列される全４つの隣接する突出部の中心に心合されるように、交互された行および列に分散される、項目２７−３０のいずれか１項に記載の超音波外科手術用装置。
（項目３２）
前記複数の突出部は、前記ブリッジを縦方向および軸方向の両方に形成する、項目２７−３１のいずれか１項に記載の超音波外科手術用装置。
（項目３３）
前記複数の突出部は、球状突出部である、項目２７−３２のいずれか１項に記載の超音波外科手術用装置。
（項目３４）
前記送液筒は、第１の送液筒延在部と、前記第１の送液筒延在部から遠位に延在する、第２の送液筒延在部とを含み、前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、項目２７−３３のいずれか１項に記載の超音波外科手術用装置。
（項目３５）
超音波ホーンと併用するための送液筒であって、
近位端と対向遠位端との間に延在する内部表面と、
第１の送液筒延在部および第２の送液筒延在部であって、前記第２の送液筒延在部は、前記第１の送液筒延在部から遠位に延在する、第１の送液筒延在部および第２の送液筒延在部と
を備え、
前記第１の送液筒延在部および前記第２の送液筒延在部のそれぞれ１つの内部表面は、第１の内径を画定する弧状領域と、前記弧状領域から内向きに突出し、第２の内径を画定する、複数の突出部とを含み、前記第２の内径は、前記第１の内径より小さい、
送液筒。
（項目３６）
前記第１の送液筒延在部の第１の内径は、前記第２の送液筒延在部の第１の内径より大きい、項目３５に記載の送液筒。
（項目３７）
前記複数の突出部は、前記第１の送液筒延在部および前記第２の送液筒延在部のそれぞれ１つ内に複数の列および複数の行を画定する、項目３５−３６のいずれか１項に記載の送液筒。
（項目３８）
前記第１の送液筒延在部上の複数の突出部は、約０．０１インチ〜約０．１０インチの範囲内である球面半径を有し、前記第２の送液筒延在部上の複数の突出部は、約０．０１インチ〜約０．０８インチの範囲内である球面半径を有する、項目３５−３７のいずれか１項に記載の送液筒。
（項目３９）
前記第２の送液筒延在部は、前記第１の送液筒延在部より高い密度の前記複数の突出部を有する、項目３５−３８のいずれか１項に記載の送液筒。